(57)【要約】  流体中において２つの電極の間に帯電粒子を有する電気泳動表示装置。駆動手段は、表示されるべき画像に従って帯電粒子が所望の光学状態を占めるように、電極に駆動波形を供給する。画素が画像更新シーケンスの間に同じ光学状態のままであることが要求される場合、画像更新シーケンスの間に画素が保持することが要求される光学状態に上記帯電粒子を引き寄せることによってクロストークの影響を補償するために、駆動信号の終了時において又は終了時の近くにおいて、少なくとも１つの電圧パルスが供給される。
2007512567.tif 000002
【特許請求の範囲】
【請求項１】
流体中に帯電粒子を有する電気泳動材料と、複数の画素と、前記各画素に関連する第１の電極および第２の電極と、前記第１の電極および前記第２の電極に駆動波形を供給する駆動手段と、を有する電気泳動表示装置であって、
前記帯電粒子は、前記第１の電極と前記第２の電極との間の複数の位置のうちの１つの位置を占めることができ、前記複数の位置の各々は、前記電気泳動表示装置のそれぞれの光学状態に対応しており、
前記駆動波形は、表示されるべき画像に従って前記帯電粒子が前記複数の光学状態のうちの１つの光学状態を占めるように、前記画素について画像遷移を生じさせるための駆動信号を含む画像更新シーケンスを複数有し、
画像更新シーケンスの間に画素が保持することが要求される光学状態に前記帯電粒子を引き寄せるために、選択された１つ以上の画像更新シーケンスの終了時において又は終了時の近くにおいて、少なくとも１つの電圧パルスが前記第１および第２の電極に印加される、電気泳動表示装置。
【請求項２】
前記少なくとも１つの電圧パルスは、前記駆動波形において、前記帯電粒子が前記第１および第２の電極のうちの一方の電極に隣接する当初の極光学状態の画素をその当初の光学状態に維持するための駆動信号の終了時に、又は前記駆動信号の終了時の近くに印加される、請求項１に記載の電気泳動表示装置。
【請求項３】
前記少なくとも１つの電圧パルスは、画素を中間光学状態のままにする駆動波形に印加される、請求項１又は２に記載の電気泳動表示装置。
【請求項４】
画像更新の間画素を同じ光学状態のままにする駆動信号の値が実質的にゼロである、請求項１〜３のうちのいずれか一項に記載の電気泳動表示装置。
【請求項５】
前記駆動波形は電圧変調される、請求項１〜４のうちのいずれか一項に記載の電気泳動表示装置。
【請求項６】
前記駆動波形はパルス幅変調される、請求項１〜４のうちのいずれか一項に記載の電気泳動表示装置。
【請求項７】
前記駆動波形は、実質的にＤＣバランスが取られる、請求項１〜６のうちのいずれか一項に記載の電気泳動表示装置。
【請求項８】
前記電気泳動表示装置は２つの基板を有し、前記２つの基板のうちの少なくとも一方の基板は透明であり、前記帯電粒子および前記流体は、前記２つの基板の間に配されている、請求項１〜７のうちのいずれか一項に記載の電気泳動表示装置。
【請求項９】
前記帯電粒子および前記流体は、カプセル化されている、請求項１〜８のうちのいずれか一項に記載の電気泳動表示装置。
【請求項１０】
前記帯電粒子および前記流体は複数の個別のマイクロカプセルにカプセル化され、前記マイクロカプセルの各々は、対応する画素を規定する、請求項９に記載の電気泳動表示装置。
【請求項１１】
前記各画像更新シーケンスにおいて、前記駆動信号の前に、一つ以上の振動パルスが備えられる、請求項１〜１０のうちのいずれか一項に記載の電気泳動表示装置。
【請求項１２】
前記振動パルスは、１個の振動パルスが印加される場合は、次のデータパルスとは反対の極性を有する、請求項１１に記載の電気泳動表示装置。
【請求項１３】
前記各画像更新シーケンスにおいて、前記駆動信号の前に、一つ以上のリセットパルスが印加される、請求項１〜１２のうちのいずれか一項に記載の電気泳動表示装置。
【請求項１４】
前記リセットパルスは、駆動信号の前に、追加のリセット持続時間を有する、請求項１３に記載の電気泳動表示装置。
【請求項１５】
画像遷移には、実質的な光学状態変化がない画素も含んでいる、請求項１〜１４のうちのいずれか一項に記載の電気泳動表示装置。
【請求項１６】
少なくとも１つの個々の駆動波形は、実質的にＤＣバランスが取られる、請求項１〜１５のうちのいずれか一項に記載の電気泳動表示装置。
【請求項１７】
画像遷移サイクルによって、画素が、前記画像遷移サイクルの終わりに、前記画像遷移サイクルの始まりと実質的に同じ光学状態を有するようにする複数の閉じたループの一部の閉じたループのうちの少なくとも幾つかの閉じたループは、実質的にＤＣバランスが取られる、請求項１〜１６のうちのいずれか一項に記載の電気泳動表示装置。
【請求項１８】
流体中に帯電粒子を有する電気泳動材料と、複数の画素と、前記各画素に関連する第１の電極および第２の電極と、を有する電気泳動表示装置を駆動する方法であって、
前記帯電粒子は、前記第１の電極と前記第２の電極との間の複数の位置のうちの１つの位置を占めることができ、前記複数の位置の各々は、前記電気泳動表示装置のそれぞれの光学状態に対応しており、
前記方法は、前記第１および第２の電極に駆動波形を供給するステップを有し、
前記駆動波形は、表示されるべき画像に従って前記帯電粒子が前記複数の光学状態のうちの１つの光学状態を占めるように、前記画素について画像遷移を生じさせるための駆動信号を含む画像更新シーケンスを複数有し、
画像更新シーケンスの間に画素が保持することが要求される光学状態に前記帯電粒子を引き寄せるために、選択された１つ以上の画像更新シーケンスの終了時において又は終了時の近くにおいて、少なくとも１つの電圧パルスが前記第１および第２の電極に印加される、方法。
【請求項１９】
流体中に帯電粒子を有する電気泳動材料と、複数の画素と、前記各画素に関連する第１の電極および第２の電極と、を有する電気泳動表示装置を駆動する装置であって、
前記帯電粒子は、前記第１の電極と前記第２の電極との間の複数の位置のうちの１つの位置を占めることができ、前記複数の位置の各々は、前記電気泳動表示装置のそれぞれの光学状態に対応しており、
前記駆動する装置は、前記第１および第２の電極に駆動波形を供給する駆動手段を有し、
前記駆動波形は、表示されるべき画像に従って前記帯電粒子が前記複数の光学状態のうちの１つの光学状態を占めるように、前記画素について画像遷移を生じさせるための駆動信号を含む画像更新シーケンスを複数有し、
画像更新シーケンスの間に画素が保持することが要求される光学状態に前記帯電粒子を引き寄せるために、選択された１つ以上の画像更新シーケンスの終了時において又は終了時の近くにおいて、少なくとも１つの電圧パルスが前記第１および第２の電極に印加される、装置。
【請求項２０】
流体中に帯電粒子を有する電気泳動材料と、複数の画素と、前記各画素に関連する第１の電極および第２の電極と、を有する電気泳動表示装置を駆動する駆動波形であって、
前記帯電粒子は、前記第１の電極と前記第２の電極との間の複数の位置のうちの１つの位置を占めることができ、前記複数の位置の各々は、前記電気泳動表示装置のそれぞれの光学状態に対応しており、
前記装置は、前記第１および第２の電極に前記駆動波形を供給する駆動手段を有し、
前記駆動波形は、表示されるべき画像に従って前記帯電粒子が前記複数の光学状態のうちの１つの光学状態を占めるように、前記画素について画像遷移を生じさせるための駆動信号を含む画像更新シーケンスを複数有し、
画像更新シーケンスの間に画素が保持することが要求される光学状態に前記帯電粒子を引き寄せるために、選択された１つ以上の画像更新シーケンスの終了時において又は終了時の近くにおいて、少なくとも１つの電圧パルスが前記第１および第２の電極に印加される、駆動波形。
【発明の詳細な説明】
【技術分野】
【０００１】
本発明は、電気泳動表示装置に関する。この電気泳動表示装置は、流体中に帯電粒子を有する電気泳動材料と、複数の画素と、各画素に関連する第１の電極および第２の電極と、を有しており、帯電粒子は、第１の電極と第２の電極との間の複数の位置のうちの１つの位置を占めることができ、複数の位置の各々は、電気泳動表示装置のそれぞれの光学状態に対応している。電気泳動表示装置は、第１の電極および第２の電極に複数の駆動信号のシーケンスを供給する駆動手段を有し、各駆動信号は、帯電粒子が、表示されるべき画像に対応する所定の光学状態を占めるようにする。
【背景技術】
【０００２】
電気泳動ディスプレイは、流体中の帯電粒子からなる電気泳動媒体と、マトリックス状に配された複数の画素（ピクセル）と、各画素に関連する第１および第２の電極と、画像を表示するため、印加された電位差についての値と持続時間とに依存して、帯電粒子が電極と電極との間の位置を占めるように電位差を各画素の電極に印加する電圧ドライバと、を有する。
【０００３】
更に詳細にいうと、電気泳動表示装置は、交差するデータ電極と選択電極との交差部に関連する画素のマトリックスを有するマトリックス・ディスプレイである。グレーレベル、即ち画素の着色レベルは、特定のレベルの駆動電圧が画素に存在する時間に依存する。駆動電圧の極性に依存して、画素の光学状態は、その現在の光学状態から２つの極限状態（即ち、極光学状態）のうちの一方の状態に向かって連続的に変化し、例えば、一方の型式の帯電粒子は、画素の上部又は底部に近づく。中間光学状態、例えば白黒ディスプレイにおけるグレースケールは、画素に電圧が存在する時間を制御することによって得られる。
【０００４】
通常、全ての画素は、適切な電圧を選択電極に供給することによってラインごとに選択される。データは、データ電極を介して、選択されたラインに関連する画素に並列に供給される。ディスプレイがアクティブ・マトリックス・ディスプレイである場合、選択電極には、データが画素に順に供給されるようにするための例えばＴＦＴ、ＭＩＭ、ダイオードなどが備えられる。マトリックス・ディスプレイの全ての画素を一回選択するのに必要な時間は、サブフレーム期間と呼ばれる。既知の装置において、特定の画素は、実現する必要がある光学状態の変化（即ち、画像遷移）に依存して、サブフレーム期間全体の間に、正の駆動電圧、負の駆動電圧、又はゼロの駆動電圧を受け取る。この場合、画像遷移を行う必要がなければ（即ち、光学状態の変化がない）、通常、ゼロの駆動電圧が画素に印加される。
【０００５】
既知の電気泳動表示装置が、国際特許出願第ＷＯ９９／５３３７３号に記載されている。この特許出願は、２つの基板を有する電子インクディスプレイを開示しており、この２つの基板のうちの一方の基板は透明であり、他方の基板は行および列に配される電極が備えられている。行電極と列電極との間の交差部は画素に関係している。画素は薄膜トランジスタ（ＴＦＴ）を介して列電極に結合され、その薄膜トランジスタのゲートは行電極に結合されている。画素、ＴＦＴトランジスタ、並びに行電極および列電極の構成は、協働して、アクティブマトリックスを形成する。更に、画素は画素電極を有している。行ドライバは画素の行を選択し、列ドライバは、データ信号を、列電極およびＴＦＴトランジスタを介して、選択された行の画素に供給する。データ信号は表示されるべき画像に対応している。
【０００６】
更に、画素電極と透明基板に備えられる共通電極との間に、電子インクが備えられている。電子インクは、約１０ミクロンから５０ミクロンの複数のマイクロカプセルを有する。各マイクロカプセルは、流体中に懸濁する、正に帯電した白の粒子と負に帯電した黒の粒子とを有する。正の電界が画素電極に印加されると、白の粒子は、マイクロカプセルの、透明基板が備えられた側へと移動し、観測者に白が見えるようになる。同時に、黒の粒子はマイクロカプセルの反対側に移動し、観測者から見えないようになる。同様に、負の電界を画素電極に印加することによって、黒の粒子は、マイクロカプセルの、透明基板が備えられた側に移動し、観測者に黒が見えるようになる。同時に、白の粒子はマイクロカプセルの反対側に移動し、観測者から見えないようになる。電界が取り除かれると、表示装置は粒子の移動により得られた光学状態をほぼ保ち、双安定性を示す。
【０００７】
マイクロカプセルの上部のカウンタ電極に移動する粒子の量を制御することによって、表示装置にグレースケール（即ち、中間光学状態）を作り出すことができる。例えば、電界強度と印加時間との積として定義される正電界又は負電界のエネルギーによって、マイクロカプセルの上部に移動する粒子の量が制御される。
図面のうちの図１は、電気泳動表示装置１の、例えば数個の画素サイズの部分の概略断面図である。この表示装置１は、ベース基板２と、電子インクを有する電気泳動フィルムと、を有しており、このフィルムは、上部透明電極６と、ＴＦＴ１１を介してベース基板２に結合される複数の画素電極５と、の間に存在している。電子インクは約１０ミクロン〜５０ミクロンの複数のマイクロカプセル７を有する。各マイクロカプセル７は、流体１０中に縣濁した、正に帯電した白の粒子８と負に帯電した黒の粒子９とを有する。正の電界が画素電極５に印加されると、黒の粒子９は電極５に向けて引きつけられ、観測者から見えなくなり、一方、白の粒子８は反対側の電極６の近くに残ったままとなり、観測者に白が見えるようになる。逆に、負の電界が画素電極５に印加されると、白の粒子が電極５に向けて引きつけられ、観測者から見えなくなり、一方、黒の粒子は反対側の電極６の近くに残ったままとなり、観測者に黒が見えるようになる。理論的には、電界が取り除かれると、粒子８、９は移動により得た状態をほぼ保ち、ディスプレイは双安定性を示し、実質的に電力を消費しない。
【０００８】
電気泳動ディスプレイの応答速度を増加させるためには、電気泳動粒子に印加する電圧差を増加させることが望ましい。（上記の）カプセル又はマイクロカップを有するフィルムの電気泳動粒子に基づくディスプレイでは、それを構成するために、接着層およびバインダー層などの追加の層が必要とされる。これらの層も電極と電極との間に配されるので、これらの層は電圧降下を引き起こし、それ故に、粒子に印加される電圧を低下させ得る。そこで、装置の応答速度が増加するようにこれらの層の導電率を増加させることが可能である。
【０００９】
換言すれば、斯かる接着層およびバインダー層の導電率は、これらの層での電圧降下ができるだけ低くなり装置のスイッチング速度又は応答速度が最大になるように、理想的にはできるだけ大きくすべきである。しかし、高い導電率の接着層および結合層を有する結果、クロストークによって引き起こされる重大な問題が生じる。
【００１０】
クロストークという用語は、表示コントラストが著しく低下するように、選択された画素だけでなくその周囲の他の画素にも駆動信号が印加される現象を表す。換言すれば、本発明の文脈において、クロストークは、１つの画素に関連する電界の一部が意図せずに隣接する画素に広がり、この隣接画素が部分的に違ったグレーレベルに切り替わるようになる状況を表す。この状況は、特に、一方の極光学状態に駆動される画素が全く駆動されない画素に隣接して位置する場合（当業者に周知のように、空間ディザリング技術を使用して追加のグレーレベルが実現される状況でしばしば生じる）、かなり目に見えるものである。
この現象は、中間層の導電率の増加に関連していると考えられ、これによって、図面のうちの図３に示されているように、駆動した画素と駆動していない画素との間の位置に電界がかなり広がる。
【発明の開示】
【発明が解決しようとする課題】
【００１１】
我々は、上記の問題を解決する装置を発明した。
【課題を解決するための手段】
【００１２】
本発明によれば、次のような電気泳動表示装置が提供される。この装置は、流体中に帯電粒子を有する電気泳動材料と、複数の画素と、上記各画素に関連する第１の電極および第２の電極と、上記第１の電極および上記第２の電極に駆動波形を供給する駆動手段と、を有し、上記帯電粒子は、上記第１の電極と上記第２の電極との間の複数の位置のうちの１つの位置を占めることができ、上記複数の位置の各々は、上記電気泳動表示装置のそれぞれの光学状態に対応しており、上記駆動波形は、表示されるべき画像に従って上記帯電粒子が上記複数の光学状態のうちの１つの光学状態を占めるように、上記画素について画像遷移を生じさせるための駆動信号を含む画像更新シーケンスを複数有し、画像更新シーケンスの間に画素が保持することが要求される光学状態に上記帯電粒子を引き寄せるために、選択された１つ以上の画像更新シーケンスの終了時において又は終了時の近くにおいて、少なくとも１つの電圧パルスが上記第１および第２の電極に印加される。
【００１３】
本発明は、流体中に帯電粒子を有する電気泳動材料と、複数の画素と、上記各画素に関連する第１の電極および第２の電極と、を有する電気泳動表示装置を駆動する方法にも適用される。この方法において、上記帯電粒子は、上記第１の電極と上記第２の電極との間の複数の位置のうちの１つの位置を占めることができ、上記複数の位置の各々は、上記電気泳動表示装置のそれぞれの光学状態に対応しており、上記装置は上記第１および第２の電極に駆動波形を供給する駆動手段を有し、上記駆動波形は、表示されるべき画像に従って上記帯電粒子が上記複数の光学状態のうちの１つの光学状態を占めるように、上記画素について画像遷移を生じさせるための駆動信号を含む画像更新シーケンスを複数有し、画像更新シーケンスの間に画素が保持することが要求される光学状態に上記帯電粒子を引き寄せるために、選択された１つ以上の画像更新シーケンスの終了時において又は終了時の近くにおいて、少なくとも１つの電圧パルスが上記第１および第２の電極に印加される。
【００１４】
本発明は、流体中に帯電粒子を有する電気泳動材料と、複数の画素と、上記各画素に関連する第１の電極および第２の電極と、を有する電気泳動表示装置を駆動する装置に更に適用される。この駆動する装置において、上記帯電粒子は、上記第１の電極と上記第２の電極との間の複数の位置のうちの１つの位置を占めることができ、上記複数の位置の各々は、上記電気泳動表示装置のそれぞれの光学状態に対応しており、上記駆動する装置は、上記第１および第２の電極に駆動波形を供給する駆動手段を有し、上記駆動波形は、表示されるべき画像に従って上記帯電粒子が上記複数の光学状態のうちの１つの光学状態を占めるように、上記画素について画像遷移を生じさせるための駆動信号を含む画像更新シーケンスを複数有し、画像更新シーケンスの間に画素が保持することが要求される光学状態に上記帯電粒子を引き寄せるために、選択された１つ以上の画像更新シーケンスの終了時において又は終了時の近くにおいて、少なくとも１つの電圧パルスが上記第１および第２の電極に印加される。
【００１５】
本発明は、流体中に帯電粒子を有する電気泳動材料と、複数の画素と、上記各画素に関連する第１の電極および第２の電極と、を有する電気泳動表示装置を駆動する駆動波形にも更に適用される。この駆動波形において、上記帯電粒子は、上記第１の電極と上記第２の電極との間の複数の位置のうちの１つの位置を占めることができ、上記複数の位置の各々は、上記電気泳動表示装置のそれぞれの光学状態に対応しており、上記装置は、上記第１および第２の電極に上記駆動波形を供給する駆動手段を有し、上記駆動波形は、表示されるべき画像に従って上記帯電粒子が上記複数の光学状態のうちの１つの光学状態を占めるように、上記画素について画像遷移を生じさせるための駆動信号を含む画像更新シーケンスを複数有し、画像更新シーケンスの間に画素が保持することが要求される光学状態に上記帯電粒子を引き寄せるために、選択された１つ以上の画像更新シーケンスの終了時において又は終了時の近くにおいて、少なくとも１つの電圧パルスが上記第１および第２の電極に印加される。
【００１６】
少なくとも１つの電圧パルスは、クロストークの影響によって誤った輝度レベルに駆動された画素を、正しい光学状態に実質的に回復することによって、電気泳動ディスプレイを駆動したときに生じるクロストークを補償する。
【００１７】
好ましい実施例では、上記少なくとも１つの電圧パルスは、上記駆動波形において、上記帯電粒子が上記第１および第２の電極のうちの一方の電極に隣接する当初の極光学状態の画素をその当初の光学状態に維持するための（例えば、黒から黒、又は白から白）駆動信号の終了時に、又は上記駆動信号の終了時の近くに印加される。別の実施例では、上記少なくとも１つの電圧パルスを、画素を中間光学状態のままにする駆動波形に印加してもよい。
【００１８】
特定の実施例では、画像更新の間画素を同じ光学状態のままにする駆動信号の値は、実質的にゼロである。
【００１９】
上記駆動波形は、電圧変調又はパルス幅変調してもよく、ＤＣバランスが取られることが好ましい。
【００２０】
上記電気泳動表示装置は２つの基板を有し、上記２つの基板のうちの少なくとも一方の基板が透明であり、上記帯電粒子および上記流体が、上記２つの基板の間に配されていることが好ましい。一実施例では、上記帯電粒子および上記流体をカプセル化することができ、もっと好ましくは、上記帯電粒子および上記流体が複数の個別のマイクロカプセルにカプセル化され、上記マイクロカプセルの各々が、対応する画素を規定することである。
【００２１】
上記各画像更新シーケンスにおいて、上記駆動信号の前に、一つ以上の振動パルスを備えてもよい。上記駆動信号の前に、一つ以上のリセットパルスを印加してもよい。
【００２２】
振動パルスは、エネルギー値を表す単一極性電圧として規定されており、このエネルギー値は、２つの電極の間の複数の位置のうちの任意の位置に存在する粒子を解放するには十分であるが、粒子を、現在の位置から、２つの極位置のうちの一方の電極に近い極位置に移動させるには不十分なエネルギー値である。換言すれば、振動パルスのエネルギー値は、画素の光学状態を大きく変化させるには不十分な大きさであることが好ましい。
【００２３】
リセットパルスは、粒子を、現在の位置から、２つの電極に近い２つの極位置のうちの一方の極位置に運ぶことができる電圧パルスである。リセットパルスは、「標準」リセットパルスと「オーバリセット」パルスとから構成できる。「標準」リセットパルスは、粒子が移動する必要のある距離に比例した持続期間を有する。「オーバリセット」パルスの持続時間は、グレースケールの精度を保証しＤＣバランスの条件を満たすように、それぞれの画像遷移に従って選択される。
【００２４】
本発明のこれら及び他の態様は明細書に記載の実施例から明らかであり、これら実施例を基準に説明される。
【００２５】
本発明の実施例は、単なる例として、添付図面を基準にして記載されている。
【発明を実施するための最良の形態】
【００２６】
上記のように、本発明の目的は、駆動波形の中の複数の画像更新シーケンスのうちの少なくとも幾つかの画像更新シーケンスが、時間的に、対応する画像更新シーケンスの駆動信号（即ち、データ依存部分）の後に又は少なくともこの駆動信号の終了時の近くに位置すべきクロストーク補償パルスを有することによって、電気泳動ディスプレイを駆動するときに生じるクロストークを補償することにある。パルスは、上記のクロストークの影響により誤った輝度レベルに駆動された画素を正しい光学状態に実質的に回復させる。
【００２７】
斯かるクロストークの影響が視覚的に表れる様子を、更に詳細に記載する。図面のうちの図４を参照し、表示画面の一部が、黒と白のブロック画像（左側の図）から、空間的にディザ表示された格子状のミドルグレーパターンに切り替えられ、これにより画素（ピクセル）が交互に黒又は白となるべきことが要求される場合を考える。
【００２８】
画像のうちの当初は黒の領域において、白になることが要求される画素は、負の電圧で駆動され、一方、黒のままであることが要求される画素は、全く駆動されない（即ち、この画像更新シーケンスの間に画素の電極に印加される駆動信号は、実質的にゼロである）。しかし、上記のクロストークの影響のために、白くなることが要求される画素を駆動するために使用される駆動電圧の一部が、黒のままであることが要求される画素に与えられ、この画素は部分的に白の極光学状態へと駆動され、画像更新の終わりにはグレー色となる。結果として、格子状パターンの中央部（即ち、前は黒であった部分）は、色が明るくなりすぎる（図４の右図参照）。
【００２９】
画像のうちの当初は白の領域において、黒になることが要求される画素は、正の電圧で駆動され、一方、白のままであることが要求される画素は、全く駆動されない（即ち、前と同じように、この画像更新シーケンスの間に画素の電極に印加される駆動信号は、実質的にゼロである）。しかし、前と同じように、上記のクロストークの影響のために、黒くなることが要求される画素を駆動するために使用される駆動電圧の一部が、白のままであることが要求される画素に与えられ、この画素は部分的に黒の極光学状態へと駆動され、画像更新の終わりにはグレー色となる。結果として、格子状パターンの外側部（即ち、前は白であった部分）は、色が暗くなりすぎる（図４の右図参照）。
【００３０】
結果として、結果として得られる画像は、均一な輝度レベルではなく、画像の隣接する外側部よりも明るい中央のストライプ又は中央のブロックを有し、これは、実際のところ、前の画像を反転したものである。
【００３１】
先に説明されたように、駆動波形の一部に、時間的に、複数の画像更新シーケンスのうちの少なくとも幾つかの画像更新シーケンスの後に又はこの幾つかの画像更新シーケンスの終了時の近くに位置すべきクロストーク補償パルスを有することによって、先に説明された深刻なクロストークがかなり低減できることが分かった。上記のように、このパルスは、クロストークの影響により誤った輝度レベルに駆動された画素を正しいグレーレベルに実質的に回復させる。
【００３２】
図面のうちの図５ａおよび図５ｂを参照すると、本発明の好適な実施例が更に詳細に記載されている。
【００３３】
上記の例では、従来による画像更新シーケンスの終わりにおいて、中央のブロック内の黒の画素は中間グレーレベルに向かってシフトする。本発明の第１の好適な実施例によれば、画像更新シーケンスの結果として黒のままであることが要求される黒の画素に対して、従来の（ゼロ値）駆動波形部の後に追加の正の電圧パルスを加えることによってこの問題を補償することが提案されている（以下、黒−黒駆動波形と呼ぶ）。このパルスは、当初は黒の画素であって、上記のクロストークの影響により誤った輝度レベルに駆動された画素を、正しい黒レベルに実質的に回復させる。
【００３４】
先に説明したように、従来技術による画像更新シーケンスの終わりには、画像の外側部のブロック又は領域内の当初は白の画素が、中間グレーカラーに向かってシフトする。したがって、本発明のこの好適な実施例によれば、画像更新シーケンスの結果として白のままであることが要求される白の画素に対して、従来の（ゼロ値）駆動波形部の終わりの後に追加の負の電圧パルスを加えることによってこの問題を補償することが更に提案されている（以下、白−白駆動波形と呼ぶ）。このパルスは、当初は白の画素であるが、上記のクロストークの影響により誤った輝度レベルに駆動された画素を、正しい白レベルに実質的に回復させる。
【００３５】
上記の本発明の好適な実施例に関する従来の駆動波形が、図面のうちの図５ａで見ることができ、本発明のこの好適な実施例で使用される対応する駆動波形が、図５ｂで見ることができる。したがって、図示されるように、黒から白に又は白から黒に画素を駆動するための、本発明のこの好適な実施例による駆動波形即ち画像更新シーケンスは、従来のものと同じである。しかし、黒のままであることが要求される当初から黒の画素の電極に印加される（実質的にゼロ値の）駆動信号では、黒の画素を、要求される黒の極光学状態に戻すために、画像更新シーケンス内において、ゼロ値の駆動信号の後に追加の正の電圧パルスが印加される。同様に、白のままであることが要求される当初から白の画素の電極に印加される（実質的にゼロ値の）駆動信号では、白の画素を、要求される白の極光学状態に戻すために、画像更新シーケンス内において、ゼロ値の駆動信号の後に追加の負の電圧パルスが印加される。
【００３６】
結果として、図６に示されるように（右側の図）、画像残留のない所望の画像を得ることができる。
【００３７】
上記の実施例では、クロストーク補償パルスの例が、白から白への駆動波形に関して、および黒から黒への駆動波形に関して記載されている。しかし、本発明の他の好適な実施例では、クロストーク補償パルス（このパルスは、白から白への駆動波形および黒から黒への駆動波形に関する上記のパルスよりも持続時間がおそらく短い）を、当初は中間グレーレベルの画素に、又は中間グレーレベルが要求される画素に、印加することができる。
【００３８】
加えて、上記のクロストーク補償パルスは、各画像更新シーケンス内において、従来の適切な駆動信号の後に印加されるが、多くの場合、４つのグレーレベルの表示装置に対して１６個の駆動波形が存在することを念頭において、パルスは全ての駆動波形のうちの一部の駆動波形の終わった後に印加する必要があるだけである。上記の例では、クロストーク補償パルスが、黒から黒への駆動信号、白から白への駆動信号の後に印加されることが必要なだけであり、依然として他の波形を同時に実行できる。
【００３９】
他の好適な実施例では、クロストーク補償パルス自体が、隣接する画素の光学状態に幾つかの望ましくない変化を引き起こす場合があり得る。この望ましくない変化を引き起こす場合には、光学状態の比較的小さな乱れを補償するように、駆動波形に一つ以上の他のクロストーク補償パルス、好ましくは、最初の補償パルスよりもっと短い持続時間のクロストーク補償パルスを、斯かる最初の補償パルスの後に備えることができるだろう。
【００４０】
本発明は、パッシブ・マトリックスの電気泳動ディスプレイおよびアクティブ・マトリックスの電気泳動ディスプレイで実現できることに注意されたい。また、本発明は、例えばタイプライターモードのあるシングルウィンドウディスプレイとマルチウィンドウディスプレイとの両方に適用可能である。本発明は、カラーの双安定性ディスプレイにも適用可能できる。また、電極構造は限定されない。例えば、トップ／ボトム電極構造、ハニカム構造、又はin-plane-switchingとvertical switchingとが組み合わされた他の構造を使用することができる。
【００４１】
本発明の実施例は単なる例として上述されており、上記の実施例を、特許請求の範囲によって規定される本発明の範囲から逸脱することなく修正および変形できることは、当業者にとって明らかである。用語「有する」は、請求項に記載されている以外の要素又はステップの存在を排除するものではない。用語が単数であることは、複数の存在を排除するものではない。本発明は、数個の個別の素子を有するハードウェアによって、および適切にプログラミングされたコンピュータによって、実現することができる。幾つかの手段を列挙している装置の請求項において、これらの手段の一部は、１つの同じハードウェアで具体化できる。手段が、相互に異なる独立項に列挙されている単なる事実は、これらの手段の組合せを有利に使用できないことを示すものではない。
【図面の簡単な説明】
【００４２】
【図１】電気泳動表示装置の一部の概略断面図である。
【図２ａ】電気泳動表示パネルのブロック画像残留の概略説明図である。
【図２ｂ】図２ａにおいて矢印Ａに沿う輝度プロファイルの図である。
【図３】電気泳動表示装置の一部の概略断面図であり、低抵抗のバインダ層／接着層の場合において駆動した画素と駆動していない画素との間の力線を示している（破線が力線を表す）。
【図４】クロストーク作用によって電気泳動ディスプレイに生じ得る画像残留を概略的に示す図である。
【図５ａ】従来技術による駆動波形を概略的に示す図である。
【図５ｂ】本発明の好適な実施例による駆動波形を概略的に示す図である。
【図６】クロストークによって電気泳動ディスプレイに生じるであろう画像残留が、本発明の好適な実施例によって除去されることを概略的に示す図である。
【図１】
2007512567.tif 000003
【図２ａ】
2007512567.tif 000004
【図２ｂ】
2007512567.tif 000005
【図３】
2007512567.tif 000006
【図４】
2007512567.tif 000007
【図５ａ】
2007512567.tif 000008
【図５ｂ】
2007512567.tif 000009
【図６】
2007512567.tif 000010
【国際調査報告】
2007512567.tif 000011
2007512567.tif 000012
2007512567.tif 000013